(57)【要約】【課題】伝熱性能を向上させる内面溝付伝熱管の製造方法を提供する。【解決手段】内面に凸部３２を有する内面溝付伝熱管３１に、内面溝付伝熱管３１の最小内径よりも大きい最大外径を有する拡管プラグ１を挿入して前進させることにより、内面溝付伝熱管３１の外径を長手方向にわたり拡大させる内面溝付伝熱管の製造方法において、拡管プラグ１の外面に長手方向に伸びたＶ溝３を形成しておき、拡管プラグ１を内面溝付伝熱管３１内で前進させたときに、凸部３２の一部がＶ溝３によって凸部３２よりも径方向内方に突き出た突起３３に整形されるようにした。【選択図】図１
2009058186.tif 000002
【特許請求の範囲】
【請求項１】
内面にらせん溝による凸部を有する内面溝付伝熱管に、該凸部がなす上記内面溝付伝熱管の最小内径よりも大きい最大外径を有する拡管プラグを挿入し、該拡管プラグを前進させることにより、上記内面溝付伝熱管の外径を長手方向にわたり拡大させる内面溝付伝熱管の製造方法において、上記拡管プラグの外面に長手方向に伸びたＶ溝を形成しておき、該拡管プラグを上記内面溝付伝熱管内で前進させたときに、上記凸部の一部が上記Ｖ溝によって該凸部よりも径方向内方に突き出た突起に整形されるようにしたことを特徴とする内面溝付伝熱管の製造方法。
【請求項２】
上記Ｖ溝を、上記拡管プラグの先頭では底が深く開口が広く、それより後尾側では底が浅く開口が狭い形にしておくことにより、上記拡管プラグを上記内面溝付伝熱管内で前進させたときに、上記凸部の一部が上記Ｖ溝に広く捕捉され、続いて狭く絞られるようにしたことを特徴とする請求項１記載の内面溝付伝熱管の製造方法。
【請求項３】
上記Ｖ溝の底の最大外径を、拡管前の凸部がなす上記内面溝付伝熱管の最小内径よりも小さくしておくことにより、拡管前の凸部よりも径方向内方に突き出た突起が整形されるようにしたことを特徴とする請求項１又は２記載の内面溝付伝熱管の製造方法。
【請求項４】
上記Ｖ溝を、上記拡管プラグの後尾では底が深く開口が広く、それより先頭側では底が浅く開口が狭く形成しておくことにより、拡管後に上記拡管プラグを上記内面溝付伝熱管内で後退させたときに、上記突起が上記Ｖ溝内に案内されるようにしたことを特徴とする請求項１〜３いずれか記載の内面溝付伝熱管の製造方法。
【発明の詳細な説明】
【技術分野】
【０００１】
本発明は、伝熱性能を向上させる内面溝付伝熱管の製造方法に関する。
【背景技術】
【０００２】
主に空気調和機やＣＯ２給湯器で用いられる冷媒と空気の熱交換器にあっては、図７に示されるように、多数のフィン７２と伝熱管７３とをかしめて一体化した熱交換器７１を用いることにより、空気側の熱伝達率を上げることができる。この熱交換器７１は、伝熱管７３を挿通する穴を形成したフィン７２に伝熱管７３を挿通した後、伝熱管７３の内径より大きい外径を有する拡管プラグ７４をロッド７５で押して伝熱管７３内で前進させることにより、伝熱管７３の外径を長手方向にわたり拡大させる。
【０００３】
図８に示されるように、拡管プラグ７４が前進すると、フィン７２の穴に挿通された伝熱管７３が拡管されることで多数のフィン７２と伝熱管７３が一体化される。
【０００４】
【特許文献１】特開２００１−２４８９９２号公報
【発明の開示】
【発明が解決しようとする課題】
【０００５】
ところで、伝熱管は、詳しく見ると図９に示されるように、その内面に、軸に対して所定のらせん角度を持つらせん溝（軸に直角な溝を含む）を有する。このような伝熱管を内面溝付伝熱管９１と称する。内面溝付伝熱管９１を拡管プラグで拡管する場合、らせん溝９２による凸部９３がなす内面溝付伝熱管の最小内径（凸部９３の頂部を包絡した円の径）よりも大きい最大外径を有する拡管プラグを用い、この拡管プラグを内面溝付伝熱管９１内で前進させることになる。
【０００６】
このとき、図９（ａ）に示されるように、拡管前の内面溝付伝熱管９１では、凸部９３の高さ（らせん溝９２の底から凸部９３の頂部までの径方向距離）はＨＦ（ａ）である。この内面溝付伝熱管９１内で拡管プラグを前進させると、内面溝付伝熱管９１の外径が拡大すると同時に凸部９３が大きく潰れ、図９（ｂ）に示されるように、拡管後の凸部９３の高さがＨＦ（ｂ）になってしまう（ＨＦ（ａ）＞ＨＦ（ｂ））。
【０００７】
凸部９３の高さは高い方が内面溝付伝熱管９１の伝熱性能が良いことが知られており、凸部９３が潰れて高さが低くなると内面溝付伝熱管９１の伝熱性能の低下を招く。従って、図９（ｂ）のように拡管後の凸部９３の高さが低くならない製造方法が望まれる。
【０００８】
特許文献１に記載された製造方法では、拡管プラグに凸部と接触しない深さを有する切り欠き部を形成することにより、拡管時に切り欠き部が凸部に接触しないので、切り欠き部に対応する凸部が力を受けず変形しない。
【０００９】
しかしながら、この製造方法では、拡管後の凸部の高さが拡管前と変わらないので伝熱性能の低下は抑えられるが、伝熱性能を向上させることまではできない。
【００１０】
また、近年の内面溝付伝熱管は、高伝熱性能化及び軽量化が進み、らせん角度βが大きくなると共に凸部９３の頂角αが小さくなっている。なお、らせん角度βは、らせん溝９２又は凸部９３が管軸に対してなす角度である。
【００１１】
そこで、本発明の目的は、上記課題を解決し、伝熱性能を向上させる内面溝付伝熱管の製造方法を提供することにある。
【課題を解決するための手段】
【００１２】
上記目的を達成するために本発明は、内面にらせん溝による凸部を有する内面溝付伝熱管に、該凸部がなす上記内面溝付伝熱管の最小内径よりも大きい最大外径を有する拡管プラグを挿入し、該拡管プラグを前進させることにより、上記内面溝付伝熱管の外径を長手方向にわたり拡大させる内面溝付伝熱管の製造方法において、上記拡管プラグの外面に長手方向に伸びたＶ溝を形成しておき、該拡管プラグを上記内面溝付伝熱管内で前進させたときに、上記凸部の一部が上記Ｖ溝によって該凸部よりも径方向内方に突き出た突起に整形されるようにしたものである。
【００１３】
上記Ｖ溝を、上記拡管プラグの先頭では底が深く開口が広く、それより後尾側では底が浅く開口が狭い形にしておくことにより、上記拡管プラグを上記内面溝付伝熱管内で前進させたときに、上記凸部の一部が上記Ｖ溝に広く捕捉され、続いて狭く絞られるようにしてもよい。
【００１４】
上記Ｖ溝の底の最大外径を、拡管前の凸部がなす上記内面溝付伝熱管の最小内径よりも小さくしておくことにより、拡管前の凸部よりも径方向内方に突き出た突起が整形されるようにしてもよい。
【００１５】
上記Ｖ溝を、上記拡管プラグの後尾では底が深く開口が広く、それより先頭側では底が浅く開口が狭く形成しておくことにより、拡管後に上記拡管プラグを上記内面溝付伝熱管内で後退させたときに、上記突起が上記Ｖ溝内に案内されるようにしてもよい。
【発明の効果】
【００１６】
本発明は次の如き優れた効果を発揮する。
【００１７】
（１）伝熱性能を向上させることができる。
【発明を実施するための最良の形態】
【００１８】
以下、本発明の一実施形態を添付図面に基づいて詳述する。
【００１９】
図１に、本発明の内面溝付伝熱管の製造方法に使用する拡管プラグを示す。拡管プラグ１は、この拡管プラグ１を内面溝付伝熱管内で前進させるためのロッド２の先端に取り付けられる。拡管プラグ１は、ロッド２に取り付けられる部分を後尾、前進するときに先になるところを先頭と呼ぶことにする。
【００２０】
図示した拡管プラグ１は、先頭の方は細い径から徐々に径が太くなる円錐台状に形成され、それに続いて径がほぼ一定の円柱状に形成され、後尾の方は再び径が細くなるよう円錐台状に形成されている。よって、拡管プラグ１は、円柱状の部分において最大外径を有する。
【００２１】
拡管プラグ１は、従来と同様に内面溝付伝熱管の最小内径よりも大きい最大外径を有するが、本発明ではこれに加え、拡管プラグ１の外面に長手方向（内面溝付伝熱管の軸方向）に伸びた複数のＶ溝３が形成されている。Ｖ溝３は、内面溝付伝熱管の長手方向に直角な断面における輪郭がＶ字状になる溝であり、開口（Ｖ字の開いたところ）から底（Ｖ字の閉じたところ）まで互いに反対向きに傾斜した２つの面を形成したものである。
【００２２】
この実施形態では、Ｖ溝３の両斜面が形成する開き角は拡管プラグ１の先頭側から後尾側まで長手方向に一定であるが、底の深さは一定でない。図２に示されるように、Ｖ溝３は拡管プラグ１の先頭では底が深く、それより後尾側にいくほど底が浅くなっている。図中に矢印で示した先頭ハ、中間ロ、後尾イにおけるＶ溝３の底の深さを比較すると、先頭ハが最も深く、中間ロ、後尾イの順に浅くなる。これは、Ｖ溝３の底がつくる直線が長手方向に対して傾斜しているということである。Ｖ溝３は、その両斜面が形成する開き角が一定であるので、底の深さの変化に伴い、拡管プラグ１の先頭では開口が広く、それより後尾側にいくほど開口が狭くなっている。
【００２３】
本発明に係る内面溝付伝熱管の製造方法は、前述のように拡管プラグ１の外面に長手方向に伸びたＶ溝３を形成しておき、この拡管プラグ１を内面溝付伝熱管内で前進させたときに、凸部の一部がＶ溝３によって凸部よりも径方向内方に突き出た突起に整形されるようにしたものである。
【００２４】
図３により、その整形の様子を説明する。
【００２５】
図１に示した拡管プラグ１を内面溝付伝熱管に挿入し、拡管プラグ１を前進させることにより、内面溝付伝熱管の外径を長手方向にわたり拡大させる。このとき、拡管プラグ１は、凸部がなす内面溝付伝熱管の最小内径よりも大きい最大外径を有するので、拡管プラグ１の外面に押された凸部の高さは低くなる。
【００２６】
しかし、図３に示されるように、拡管プラグ１の先頭ハにおいては、拡管プラグ１の外面のうちＶ溝の部分は内面溝付伝熱管３１の凸部３２に接しない。凸部３２は、その一部がＶ溝３に嵌り込むかたちになる。先頭ハではＶ溝３の開口が広いので、凸部３２の一部がＶ溝３に広く捕捉される。このとき、凸部３２の他の部分の高さは拡管プラグ１の外面に押されてＨＦ（ｂ）まで低くなるが、Ｖ溝３に捕捉された凸部３２の一部は、高さが変わらず、ＨＦ（ａ）のままである。
【００２７】
拡管プラグ１が少し前進すると、凸部３２が拡管プラグ１の先頭よりも少し後尾側の中間ロにさしかかる。中間ロでは、Ｖ溝３の開口が狭くなるため、Ｖ溝３に捕捉された凸部３２の一部は狭く絞られる。さらに拡管プラグ１が前進すると、後尾イにおいて、Ｖ溝３の開口がいっそう狭くなり、凸部３２の一部はひき続いて狭く絞られる。凸部３２の一部は、Ｖ溝３の斜面にしごかれて径方向内方に隆起し、Ｖ溝３の底に近付くか又は底まで到達する。
【００２８】
この結果、図４に示されるように、内面溝付伝熱管３１の凸部３２の一部は、高さが低くなった凸部３２から径方向内方に突き出た突起３３に整形される。
【００２９】
このとき、好ましい形態として、Ｖ溝３の底の最大外径（つまり、後尾イにおける底の外径）を拡管前の凸部３２がなす内面溝付伝熱管３１の最小内径よりも小さくしておくと、突起３３が拡管前の凸部３２よりも径方向内方まで隆起するので、整形された突起３３は拡管前の凸部３２よりも径方向内方に突き出ることになる。
【００３０】
ここで、内面溝付伝熱管における凸部の高さと伝熱性能との関係を説明する。空気調和機は冷房、暖房で使用されるので、一つの熱交換器で凝縮伝熱性能と蒸発伝熱性能が共に高いことが要求される。そこで、図５に内面溝付伝熱管における凸部の高さと熱伝達率の関係を示す。熱伝達率は伝熱性能を表し、熱伝達率の数値が高いほど伝熱性能が高い。図５によると、凝縮伝熱性能は、凸部が高くなると顕著に高い。蒸発伝熱性能についても、凸部が高くなると高い傾向にある。このように、凸部の高さが高いほど伝熱性能が高い。
【００３１】
本発明で製造した内面溝付伝熱管３１では、凸部３２の一部が凸部３２から径方向内方に突き出た突起３３に整形されているため、凸部３２が高いのと同じ効果があり、伝熱性能が高い。特に、Ｖ溝３の底の最大外径を拡管前の凸部３２がなす内面溝付伝熱管３１の最小内径よりも小さくした場合、整形された突起３３が拡管前の凸部３２よりも径方向内方に突き出るので、凸部３２が拡管前より拡管後で高くなったのと同じ効果があり、伝熱性能が拡管前より高くなる。
【００３２】
図５を用いて本発明を評価すると、例えば、拡管前の凸部３２の高さが０．１５ｍｍだったとし、拡管後の突起３３の高さが０．１８ｍｍだとすると、凝縮熱伝達率が１ｋｗ／ｍ以上、蒸発熱伝達率が１ｋｗ／ｍ未満向上する。
【００３３】
以上説明したように、本発明によれば、内面にらせん溝による凸部３２を有する内面溝付伝熱管３１に、該凸部３２がなす内面溝付伝熱管３１の最小内径よりも大きい最大外径を有する拡管プラグ１を挿入し、拡管プラグ１を前進させることにより、内面溝付伝熱管３１の外径を長手方向にわたり拡大させる内面溝付伝熱管の製造方法において、拡管プラグ１の外面に長手方向に伸びたＶ溝３を形成しておき、拡管プラグ１を内面溝付伝熱管３１内で前進させたときに、凸部３２の一部がＶ溝３によって凸部３２よりも径方向内方に突き出た突起３３に整形されるようにしたので、凸部３２の高さを高くしたのと同じ効果があり、伝熱性能が向上する。
【００３４】
高らせん角度の内面溝付伝熱管（らせん角度βが大きい内面溝付伝熱管）の場合、溝加工時のプラグ回転に必要な力が増すことやプラグの回転数が増加することで加工時の張力が増し、内面溝付伝熱管が長手方向に伸びようとする力が大きく働く。このために内面溝を形成するための管断面中心に向かう力が小さくなってしまい、凸部が形成しづらいと言う結果を招く。
【００３５】
また、凸部は、内面溝付伝熱管の材料となる管に溝付きプラグを押し込んでいくことで形成するが、鋭頂角の凸部は、材料となる管に溝付きプラグを押し込んでいく際に、材料となる管と溝付きプラグとの接触抵抗が凸部のボリューム（断面積）に対して大きくなり、凸部が形成しづらい。
【００３６】
これに対して本発明では、鋭頂角で高さの高い凸部を形成しなくても、拡管により凸部の高さを高くすることができるという利点を持つ。
【００３７】
また、本発明によれば、熱交換器の高性能化及び小型化を達成することができる。
【００３８】
また、本発明によれば、熱交換器の製造コストやランニングコストの低減が図れる。
【００３９】
また、本発明は、本発明に用いる拡管プラグが従来からある拡管プラグにＶ溝を追加工するのみで作成できると共に、ロッドやその他のジグ、内面溝付伝熱管３１を仕様変更する必要がないので、簡単に実施できる。
【００４０】
以上の点から、本発明は、工業上非常に有用な発明である。
【００４１】
ところで、熱交換器の製造時における内面溝付伝熱管３１の製造方法では、図７に示したように、Ｕ字に曲げられた複数の内面溝付伝熱管を並列に並べ、これら内面溝付伝熱管を複数のフィンに挿通する。これらの内面溝付伝熱管の一端に拡管プラグをそれぞれ挿入し、これら拡管プラグを内面溝付伝熱管内で前進させて拡管を行う。フィンに挿通されている直線状部分のみ拡管した後は、拡管プラグを後退させて内面溝付伝熱管から抜き出す。この際に、拡管プラグは拡管時に整形した突起に干渉しないようにして後退させる必要がある。つまり、拡管プラグよりも後方に位置する突起が再び拡管プラグのＶ溝を通って拡管プラグよりも前方に抜けなければならない。
【００４２】
このためには、拡管プラグが自身の周方向に回転しないよう拡管プラグを十分に固定することで、突起とＶ溝の周方向位置ずれを防止するとよい。本発明では、これだけではなく、Ｖ溝の形状を図６のようにするとよい。
【００４３】
図６に示されるように、拡管プラグは、Ｖ溝が拡管プラグの後尾では底が深く開口が広く、それより先頭側では底が浅く開口が狭く形成してある。図２の構成も同時に採用するので、Ｖ溝は拡管プラグの先頭では底が深く開口が広く、後尾でも底が深く開口が広く、中央で最も底が浅く開口が狭い。この拡管プラグを用いると、拡管後に拡管プラグを内面溝付伝熱管内で後退させたときに、突起に近付くＶ溝の底が深く開口が広いので、突起がＶ溝内に円滑に案内される。
【図面の簡単な説明】
【００４４】
【図１】本発明の内面溝付伝熱管の製造方法に用いる拡管プラグの斜視図である。
【図２】図１の拡管プラグの側断面図である。
【図３】突起整形の様子を説明する内面溝付伝熱管と拡管プラグの部分拡大横断面図である。
【図４】拡管後の内面溝付伝熱管の部分拡大横断面図である。
【図５】内面溝付伝熱管における凸部の高さ対熱伝達率特性図である。
【図６】本発明の他の実施形態による拡管プラグの側断面図である。
【図７】熱交換器製造時における伝熱管の製造方法を示す平面図である。
【図８】伝熱管の製造方法を示す側断面図である。
【図９】内面溝付伝熱管における凸部の高さを示す横断面図であり、（ａ）は拡管前を示し、（ｂ）は拡管後を示す。
【符号の説明】
【００４５】
１  拡管プラグ
２  ロッド
３  Ｖ溝
３１  内面溝付伝熱管
３２  凸部
３３  突起
【図１】
2009058186.tif 000003
【図２】
2009058186.tif 000004
【図３】
2009058186.tif 000005
【図４】
2009058186.tif 000006
【図５】
2009058186.tif 000007
【図６】
2009058186.tif 000008
【図７】
2009058186.tif 000009
【図８】
2009058186.tif 000010
【図９】
2009058186.tif 000011